(57)【特許請求の範囲】
【請求項１】
回転軸の一端を天井面側に固定する取り付け手段と、前記回転軸を中心に回転する電動機と、前記電動機の全部または一部を内包する回転体と、前記電動機または前記回転体に放射状に配置され周方向に傾きを持って固定される複数の羽根板を備え、前記電動機と共に前記羽根板が回転して送風を行い、下向きに送風する前記羽根板の回転方向（以下正回転と称す）とその逆の回転方向（以下逆回転と称す）を切替える切替手段と、前記羽根板の上側に、前記天井扇の半径方向を軸に回動可能に取り付けられ、周方向断面が、逆回転時は水平で、正回転時は傾きを持つように、前記羽根板と一体あるいは固着あるいは近接設置される板状部材を備え、正回転時には前記羽根板により軸流ファンとして下向きに送風し、逆回転時には羽根板と前記板状部材により遠心ファンとして径方向に送風するようにした天井扇。
【請求項２】
前記板状部材が前記羽根板の上縁を軸に回動可能に結合され、正回転時は重力により前記羽根板側に傾斜し、逆回転時には風圧により略水平になるようにした請求項１に記載の天井扇。
【請求項３】
回転軸の一端を天井面側に固定する取り付け手段と、前記回転軸を中心に回転する電動機と、前記電動機の全部または一部を内包する回転体と、前記電動機または前記回転体に放射状に配置され周方向に傾きを持って固定される複数の羽根板を備え、前記電動機と共に前記羽根板が回転して送風を行い、下向きに送風する前記羽根板の回転方向（以下正回転と称す）とその逆の回転方向（以下逆回転と称す）を切替える切替手段と、前記羽根板の上側に、軸方向位置が可変で、逆回転時は前記羽根板と接触あるいは近接し、正回転時は前記板状部材が前記羽根板の間に間隔をもつように、前記羽根板と一体あるいは固着あるいは近接設置される板状部材を備え、正回転時には前記羽根板により軸流ファンとして下向きに送風し、逆回転時には羽根板と前記板状部材により遠心ファンとして径方向に送風するようにした天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
従来、この種の天井扇は、長板状の羽根板の一端を支持する接続部材を介して、電動機により回転する回転体に固定するものが知られている（例えば、特許文献１参照）。
【０００３】
以下、その天井扇について図１９を参照しながら説明する。
【０００４】
図１９に示すように、天井扇１０１の全体構成はキャノピー（  上カバー）１０２と中カバー１０３と電動機の外側回転体１０４と下カバー１０５と、外側回転体１０４のホルダー１０６に羽根１０７が取り付けられているものからなり、キャノピー１０２の内部の簡易取り付け金具１０８が天井１０９にネジ止めされて天井扇１０１は吊り下げられている。
【０００５】
上記構成において、羽根１０７は回転軸を中心とする周方向に所定の角度を持って取り付けられており、電動機により羽根１０７が回転すると、羽根１０７の昇圧作用により、正方向の回転では羽根１０７の外周から天井１０９と羽根１０７の間を通った空気が下方に送風され、逆回転では羽根１０７の下方から天井１０９と羽根１０７の間を通って羽根１０７の外周に送風される。よって、主に夏季に天井扇１０１の直下付近で涼を取る場合は正方向回転で使用され、主に冬季に、直接風で冷風感を感じないように部屋全体の空気の循環を促す場合は逆回転で使用される。
【先行技術文献】
【特許文献】
【０００６】
【特許文献１】特開平１１−２１０６７８号公報（第２−４頁、第１図）
【発明の概要】
【発明が解決しようとする課題】
【０００７】
このような従来の天井扇においては、羽根１０７と天井１０９の間隔が狭いため、逆回転時に、羽根１０７の下方から天井１０９と羽根１０７の間に送られた空気は一度天井面にぶつかってから外周側へと吹き出すため、送風効率が悪く、送風の到達範囲が狭くなるという課題を有していた。
【０００８】
そこで本発明は、上記従来の課題を解決するものであり、正回転時の送風効率を低下させることなく逆回転時の送風効率を向上し、送風の到達範囲を広くすることができる天井扇を提供することを目的とする。
【課題を解決するための手段】
【０００９】
そして、この目的を達成するために、本発明は、回転軸の一端を天井面側に固定する取り付け手段と、前記回転軸を中心に回転する電動機と、前記電動機の全部または一部を内包する回転体と、前記電動機または前記回転体に放射状に配置され周方向に傾きを持って固定される複数の羽根板を備え、前記電動機と共に前記羽根板が回転して送風を行い、下向きに送風する前記羽根板の回転方向（以下正回転と称す）とその逆の回転方向（以下逆回転と称す）を切替える切替手段と、前記羽根板の上側に、前記天井扇の半径方向を軸に回動可能に取り付けられ、周方向断面が、逆回転時は水平で、正回転時は傾きを持つように、前記羽根板と一体あるいは固着あるいは近接設置される板状部材を備え、正回転時には前記羽根板により軸流ファンとして下向きに送風し、逆回転時には羽根板と前記板状部材により遠心ファンとして径方向に送風するようにした天井扇としたものであり、これにより所期の目的を達成するものである。
【００１０】
また、回転軸の一端を天井面側に固定する取り付け手段と、前記回転軸を中心に回転する電動機と、前記電動機の全部または一部を内包する回転体と、前記電動機または前記回転体に放射状に配置され周方向に傾きを持って固定される複数の羽根板を備え、前記電動機と共に前記羽根板が回転して送風を行い、下向きに送風する前記羽根板の回転方向（以下正回転と称す）とその逆の回転方向（以下逆回転と称す）を切替える切替手段と、前記羽根板の上側に、軸方向位置が可変で、逆回転時は前記板状部材が前記羽根板と接触あるいは近接し、正回転時は前記羽根板の間に間隔をもつように、前記羽根板と一体あるいは固着あるいは近接設置される板状部材を備え、正回転時には前記羽根板により軸流ファンとして下向きに送風し、逆回転時には羽根板と前記板状部材により遠心ファンとして径方向に送風するようにした天井扇としたものであり、これにより所期の目的を達成するものである。
【発明の効果】
【００１１】
本発明によれば、羽根板の上側に、羽根板と一体あるいは固着あるいは近接設置される板状部材を備え、正回転時には前記羽根板により軸流ファンとして下向きに送風し、逆回転時には羽根板と前記板状部材により遠心ファンとして径方向に送風するようにした構成にしたことにより、正回転時は軸流ファンとして送風効率を低下することなく下向きに送風することができ、逆回転時は羽根板と板状部材により徐々に径方向へ流れの向きを変更することができるため、正回転時の送風効率を低下させることなく逆回転時の送風効率を向上し、送風の到達範囲を広くすることができる。
【図面の簡単な説明】
【００１２】
【図１】本発明の実施の形態１の天井扇を示す斜視図
【図２】同径方向外側から見た部分側面図
【図３】同羽根板１枚を長手方向に見た部分側面図
【図４】本発明の実施の形態２の天井扇を示す部分側面図
【図５】本発明の実施の形態３の天井扇の正回転時を示す部分斜視図
【図６】同逆回転時を示す部分斜視図
【図７】本発明の実施の形態４の天井扇を示す部分斜視図
【図８】本発明の実施の形態５の天井扇の正回転時を示す部分斜視図
【図９】本発明の実施の形態５の天井扇の逆回転時を示す部分斜視図
【図１０】本発明の実施の形態６の天井扇の正回転時を示す部分斜視図
【図１１】本発明の実施の形態６の天井扇の逆回転時を示す部分斜視図
【図１２】本発明の実施の形態７の天井扇の静止時を示す部分側面図
【図１３】本発明の実施の形態７の天井扇の正回転時を示す部分側面図
【図１４】本発明の実施の形態７の天井扇の逆回転時を示す部分側面図
【図１５】本発明の実施の形態８の天井扇の正回転時を示す部分側面図
【図１６】本発明の実施の形態８の天井扇の逆回転時を示す部分側面図
【図１７】本発明の実施の形態９の天井扇を示す平面図
【図１８】同逆回転時に気流が受ける力を示すベクトル図
【図１９】従来の天井扇を示す側面図
【発明を実施するための形態】
【００１３】
本発明の請求項１記載の天井扇は、回転軸の一端を天井面側に固定する取り付け手段と、前記回転軸を中心に回転する電動機と、前記電動機の全部または一部を内包する回転体と、前記電動機または前記回転体に放射状に配置され周方向に傾きを持って固定される複数の羽根板を備え、前記電動機と共に前記羽根板が回転して送風を行い、下向きに送風する前記羽根板の回転方向（以下正回転と称す）とその逆の回転方向（以下逆回転と称す）を切替える切替手段と、前記羽根板の上側に、前記天井扇の半径方向を軸に回動可能に取り付けられ、周方向断面が、逆回転時は水平で、正回転時は傾きを持つように、前記羽根板と一体あるいは固着あるいは近接設置される板状部材を備え、正回転時には前記羽根板により軸流ファンとして下向きに送風し、逆回転時には羽根板と前記板状部材により遠心ファンとして径方向に送風するようにした構成を有する。
これにより、正回転時は軸流ファンとして送風効率を低下することなく下向きに送風することができ、逆回転時は羽根板と板状部材により徐々に径方向へ流れの向きを変更することができるため、正回転時の送風効率を低下させることなく逆回転時の送風効率を向上し、送風の到達範囲を広くすることができるという効果を奏する。
【００１４】
特に、正回転時に軸流ファンとして下向きに送風する際に、板状部材が傾きを持つので気流を滑らかに羽根板に導くことができるため送風効率の低下を防止することができ、また逆回転時は羽根板と板状部材により徐々に径方向へ流れの向きを変更することができるため、正回転時の送風効率を低下させることなく逆回転時の送風効率を向上し、送風の到達範囲を広くすることができるという効果を奏する。
【００１５】
また、請求項２記載の天井扇は、板状部材が羽根板の上縁を軸に回動可能に結合され、正回転時は重力により羽根板側に傾斜し、逆回転時には風圧により略水平になるようにした構成にしてもよい。
これにより、正回転時に軸流ファンとして下向きに送風する際に、板状部材が羽根板側に傾斜することで板状部材が流れの障害になることを抑制して送風効率の低下を防止することができ、また逆回転時は羽根板と板状部材により徐々に径方向へ流れの向きを変更することができるため、正回転時の送風効率を低下させることなく逆回転時の送風効率を向上し、送風の到達範囲を広くすることができるという効果を奏する。
【００１６】
また、請求項３記載の天井扇は、 回転軸の一端を天井面側に固定する取り付け手段と、前記回転軸を中心に回転する電動機と、前記電動機の全部または一部を内包する回転体と、前記電動機または前記回転体に放射状に配置され周方向に傾きを持って固定される複数の羽根板を備え、前記電動機と共に前記羽根板が回転して送風を行い、下向きに送風する前記羽根板の回転方向（以下正回転と称す）とその逆の回転方向（以下逆回転と称す）を切替える切替手段と、前記羽根板の上側に、軸方向位置が可変で、逆回転時は前記板状部材が前記羽根板と接触あるいは近接し、正回転時は前記板状部材が前記羽根板の間に間隔をもつように、前記羽根板と一体あるいは固着あるいは近接設置される板状部材を備え、正回転時には前記羽根板により軸流ファンとして下向きに送風し、逆回転時には羽根板と前記板状部材により遠心ファンとして径方向に送風する構成にしてもよい。
【００１７】
これにより、正回転時は軸流ファンとして送風効率を低下することなく下向きに送風することができ、逆回転時は羽根板と板状部材により徐々に径方向へ流れの向きを変更することができるため、正回転時の送風効率を低下させることなく逆回転時の送風効率を向上し、送風の到達範囲を広くすることができるという効果を奏する。
【００１８】
特に、正回転時に軸流ファンとして下向きに送風する際に、板状部材が羽根板と間隔を持っているので、板状部材が流れの障害になることを抑制して送風効率の低下を防止することができ、また逆回転時は羽根板と板状部材により徐々に径方向へ流れの向きを変更することができるため、正回転時の送風効率を低下させることなく逆回転時の送風効率を向上し、送風の到達範囲を広くすることができるという効果を奏する。
【００１９】
以下、本発明の実施の形態について図面を参照しながら説明する。
【００２０】
（実施の形態１）
図１〜図３に示すように、天井扇１は、回転軸２の一端を天井面側に固定する取り付け手段３と、回転軸２を中心に回転する電動機４と、電動機４を内包し電動機４と共に回転する回転部５を一部とする本体６を備え、５枚の羽根板７が回転部５にアーム部８を介して固定されている。この例では本体６の外径は２５０ｍｍで天井９から本体６の最下端１０までの距離は３００ｍｍであり、羽根板７の内径は３００ｍｍ、外径は９００ｍｍ、回転方向の幅は８６ｍｍとし、取り付け手段３は、天井９にあらかじめ備えられた引っ掛けシーリングに固定することができる引っ掛け部材とする。羽根板７は傾き角θ（この例では２０度とする）で固定され、羽根板７の上縁１１には回転方向の幅が６５ｍｍで羽根板７と同外径（９００ｍｍ）の板状部材１２が羽根板７と一体に水平に連結されている。電動機４は直流モータであり、切替手段としての制御回路１３を備え、回転方向を切り替えることができる。
【００２１】
電動機４により羽根板７と板状部材１２が回転すると、正方向回転時（上縁１１が前方となる方向）には羽根板７の下面１４が正圧面となり、その昇圧作用により、天井扇１の外周から天井９と板状部材１２の間を通った空気が下方に送風される。すなわち天井扇１は軸流ファンとして下向きに送風を行う。
【００２２】
また逆回転時（下縁１５が前方となる方向）は羽根板７の上面１６が正圧面となり、その昇圧作用により天井９に向かって送風しようとするが、板状部材１２により天井９に向かう気流は径方向に押しやられ、また空気に働く遠心力ともあいまって、羽根板７の外周端１７から径方向に送風される。すなわち、天井扇１は遠心ファンとして送風を行う。
【００２３】
このような構成によれば、天井扇１の正回転時は、天井扇１は軸流ファンとして下向きに送風することができ、板状部材１２の回転方向の幅（６５ｍｍ）が羽根板７の回転方向の幅（８６ｍｍ）と同等以下であるので、軸流ファンとして下向きに送風する際に、板状部材１２が流れの障害になることを抑制して送風効率の低下を抑制することができる。
【００２４】
また、天井扇１の逆回転時は、羽根板７と板状部材１２により徐々に径方向へ流れの向きを変更することができるため、送風の到達範囲を広くすることができ、板状部材１２の外径が、羽根板７の外径と同径であるので、羽根板７の外周まで確実に径方向に流れの向きを変更することができ、また羽根板７と板状部材１２が一体に回転するので、羽根板７と板状部材１２により徐々に径方向へ流れの向きを変更する際に、板状部材１２と羽根板７が相対的に移動することで発生するせん断力による損失を抑制することができるので、送風効率を向上し、送風の到達範囲を広くすることができる。
【００２５】
なお、実施の形態において、羽根板７と板状部材１２を一体としたが、羽根板７と板状部材１２が別部品で、たとえばネジなどの締結部品で固定されていてもその作用効果に差異を生じない。
【００２６】
またなお、羽根板７と板状部材１２が別部品で、羽根板７と板状部材１２の間隙が、空気を容易に通過させない程度に近接配置（たとえば間隙が３ｍｍ）する構成にしてもその作用効果に差異を生じない。
【００２７】
またなお、羽根板７と板状部材１２を近接配置した場合は、板状部材１２の周方向位置が固定されて回転せず、羽根板７のみが回転するようにしてもその作用効果に差異を生じない。
【００２８】
（実施の形態２）
実施の形態１と同一部分は同一符号を付し詳細な説明は省略する。図４において、板状部材１２は内周側１８より外周側１９が上方に位置するように傾斜角β（たとえば２度）で傾斜しており、羽根板７の上縁１１は板状部材１２の傾斜に合せて平行となった構成となっている。
【００２９】
上記構成において、板状部材１２が内周側１８より外周側１９が上方に位置するように傾斜しているため、羽根板７と板状部材１２の間の風路が外周側１９に向かうに従い増加するため、天井扇１の径方向への流れの向きの変更を緩やかにすることができ、また、羽根板７の上縁１１が板状部材１２と平行になっていることにより、羽根板７と板状部材１２の間に間隙が発生して流れが漏出することを抑制し、確実に天井扇１の径方向に流れの向きを変更することができるため、逆回転時の送風効率を向上し、送風の到達範囲を広くすることができる。
【００３０】
（実施の形態３）
実施の形態１または２と同一部分は同一符号を付し詳細な説明は省略する。図５および図６において、羽根板７と板状部材１２が別部品で、羽根板７と板状部材１２の間隙が、空気を容易に通過させない程度に近接配置（たとえば間隙３ｍｍ）しており、板状部材１２は天井扇１の径方向の回動軸２０に取り付けられ、板状部材１２の周方向断面は、逆回転時は水平で、正回転時は流入角α（たとえば２０度）を持つように、本体６内の回動手段２１（たとえばステッピングモーター）で回動可能な構成となっている。
【００３１】
上記構成において、正回転時に天井扇１が軸流ファンとして下向きに送風する際に、図５に示すように、板状部材１２が傾きを持つことで、気流を滑らかに羽根板７に導くことができ、送風効率の低下を防止することができ、また逆回転時は、図６に示すように、板状部材１２は水平となり、羽根板７と板状部材１２により徐々に径方向へ流れの向きを変更することができ、正回転時の送風効率を低下させることなく逆回転時の送風効率を向上し、送風の到達範囲を広くすることができる。
【００３２】
（実施の形態４）
実施の形態１乃至３のいずれかと同一部分は同一符号を付し詳細な説明は省略する。図７において、羽根板７と板状部材１２が別部品で、羽根板７と板状部材１２の間隙が、空気を容易に通過させない程度に近接配置（たとえば間隙３ｍｍ）しており、板状部材１２は逆回転時のみ羽根板７と一体に回転する構成となっている。
【００３３】
上記構成において、羽根板７と板状部材１２が逆回転時のみ一体に回転するので、正回転時に天井扇１が軸流ファンとして下向きに送風する際に、板状部材１２が流れの障害になることを抑制して送風効率の低下を防止することができ、逆回転時には、板状部材１２と羽根板７が相対的に移動することで発生するせん断力による損失を抑制して送風効率を向上し、送風の到達範囲を広くすることができる。
【００３４】
（実施の形態５）
実施の形態１乃至４のいずれかと同一部分は同一符号を付し詳細な説明は省略する。図８および図９において、板状部材１２は羽根板７の上縁１１の回動軸２０に回動可能に結合され、正回転時は重力により羽根板７側に傾斜し、逆回転時には風圧により上方に持ち上げられ、保持手段である突起２２により略水平の位置で保持される構成となっている。
【００３５】
上記構成において、正回転時は重力により羽根板７側に傾斜し、正回転時に天井扇１が軸流ファンとして下向きに送風する際に、図８に示すように、板状部材１２が羽根板７側に傾斜することで板状部材１２が流れの障害になることを抑制して送風効率の低下を防止することができ、また図９に示すように、逆回転時は板状部材１２が風圧と保持手段である突起２２により略水平に保持されるため、羽根板７と板状部材１２により徐々に径方向へ流れの向きを変更することができ、正回転時の送風効率を低下させることなく逆回転時の送風効率を向上し、送風の到達範囲を広くすることができる。
【００３６】
（実施の形態６）
実施の形態１乃至５のいずれかと同一部分は同一符号を付し詳細な説明は省略する。図１０および図１１において、板状部材１２はスライド板２３を備え、逆回転時のみスライド板２３が回転方向にスライドして板状部材１２の回転方向の幅が増加する構成となっている。
【００３７】
上記構成において、正回転時には図１０に示すように、スライド板２３は板状部材１２に収納され、板状部材１２の回転方向の幅は小さいまま保持され、天井扇１が軸流ファンとして下向きに送風する際に、板状部材１２が流れの障害になることを抑制して送風効率の低下を防止することができ、また逆回転時は、図１１に示すように、スライド板２３がスライドして板状部材１２の回転方向の幅が増加し、羽根板７より上方に抜ける気流を抑制して羽根板７と板状部材１２による径方向へ流れの向きの変更を効率よく行うことができるため、正回転時の送風効率を低下させることなく逆回転時の送風効率を向上し、送風の到達範囲を広くすることができる。
【００３８】
なお、スライド板２３の枚数や幅を増やすことにより、逆回転時に隣り合う板状部材１２の間に隙間が無くなる構成とすれば、羽根板７より上方に抜ける気流を遮断することができ、より大きな作用効果を得ることができる。
【００３９】
（実施の形態７）
実施の形態１乃至６のいずれかと同一部分は同一符号を付し詳細な説明は省略する。図１２〜図１４において、羽根板７のうち下縁１５側の半分が弾性材料２４（たとえばゴムやシリコン）であり、天井扇１が逆回転する際に、風圧により羽根板７の傾き角θが大きくなる構成となっている。
【００４０】
上記構成において、図１２に示すように、羽根板７は静止時は周方向の傾き角θ（２５度）で固定されており、正回転時は図１３に示すように、下面１４に風圧を受け、羽根板７のうち弾性材料２４である下縁１５側が反回転方向に変形し、傾き角θが小さく（２０度）なり、送風効率を低下することなく下向きに送風することができる。また、図１４に示すように、逆回転時は、羽根板７の上面１６に風圧を受け、羽根板７のうち弾性材料２４である下縁１５側が反回転方向に変形し、羽根板７の周方向の傾きが正回転時よりも大きくなり、（３０度）、羽根板７の上下方向幅２５が増加し、羽根板７と板状部材１２による径方向へ流れの向きの変更を効率よく行うことができ、送風効率を向上し、送風の到達範囲を広くすることができる。
【００４１】
（実施の形態８）
実施の形態１乃至７のいずれかと同一部分は同一符号を付し詳細な説明は省略する。図１５および図１６において、板状部材１２は本体６に上下方向の稼動手段２６（たとえばソレノイド）を介して固定され、上下方向位置が可変できる構成となっている。
【００４２】
上記構成において、図１５に示すように、正回転時は板状部材１２が羽根板７の間に間隔をもつように上方に位置し、正回転時に天井扇１が軸流ファンとして下向きに送風する際に、板状部材１２が羽根板７から離れているので、板状部材１２が流れの障害になることを抑制して送風効率の低下を防止することができる。また逆回転時は、図１６に示すように、板状部材１２が羽根板７と空気を容易に通過させない程度に近接（間隙３ｍｍ）するよう下方に位置し、羽根板７と板状部材１２により徐々に径方向へ流れの向きを変更することができるため、送風効率を向上し、送風の到達範囲を広くすることができる。
【００４３】
（実施の形態９）
実施の形態１乃至８のいずれかと同一部分は同一符号を付し詳細な説明は省略する。図１７において、天井扇１の回転軸２と垂直な平面に投影した羽根板７の形状が、天井扇１の径方向に対し正回転の方向に１０度傾いて固定された構成となっている。
【００４４】
上記構成において、羽根板７が、天井扇１の半径方向に対し正回転の方向に傾いているので、逆回転時に羽根板７と板状部材１２により徐々に径方向へ流れの向きを変更する際に、図１８に示すように、羽根板７が気流に与える力２７の周方向成分２８と径方向成分２９のうち径方向成分２９を増加させ、羽根板７の外周端１７から吹き出す流速の径方向成分を増加させることができるため、径方向への送風効率を向上し、送風の到達範囲を広くすることができる。
【産業上の利用可能性】
【００４５】
本発明にかかる天井扇は、正回転時の送風効率を低下させることなく逆回転時の送風効率を向上し、送風の到達範囲を広くすることを可能とするものであるので、天井に設置され、直接風による体感温度の減少や室内の空気の循環に使用される天井扇等として有用である。
【符号の説明】
【００４６】
１    天井扇
２    回転軸
３    取り付け手段
４    電動機
５    回転部
６    本体
７    羽根板
８    アーム部
９    天井
１０  最下端
θ  傾き角
１１  上縁
１２  板状部材
１３  制御回路
１４  下面
１５  下縁
１６  上面
１７  外周端
１８  内周側
１９  外周側
β  傾斜角
２０  回動軸
α  流入角
２１  回動手段
２２  突起
２３  スライド板
２４  弾性材料
２５  上下方向幅
２６  稼動手段
２７  力
２８  周方向成分
２９  径方向成分
【図１】
0005515463.tif 000002
【図２】
0005515463.tif 000003
【図３】
0005515463.tif 000004
【図４】
0005515463.tif 000005
【図５】
0005515463.tif 000006
【図６】
0005515463.tif 000007
【図７】
0005515463.tif 000008
【図８】
0005515463.tif 000009
【図９】
0005515463.tif 000010
【図１０】
0005515463.tif 000011
【図１１】
0005515463.tif 000012
【図１２】
0005515463.tif 000013
【図１３】
0005515463.tif 000014
【図１４】
0005515463.tif 000015
【図１５】
0005515463.tif 000016
【図１６】
0005515463.tif 000017
【図１７】
0005515463.tif 000018
【図１８】
0005515463.tif 000019
【図１９】
0005515463.tif 000020